(57)【特許請求の範囲】
【請求項１】
シロッコファンと、空気調和装置のハウジング内に取り付けられて前記シロッコファンを内装するファンケースと、前記ハウジング内に取り付けられて、前記シロッコファンを回転駆動させるためのファンモーターとから構成され、前記ファンケースには、空気の吸い込み口と吹き出し口とが備えられ、前記ファンケースの外部に配置されるファンモーターの駆動軸を前記吸い込み口からファンケース内に挿通して、その挿通端部に前記シロッコファンを組み付けるようにした空気調和装置用送風機において、
前記ファンケースには、前記ファンモーターの駆動軸の外径よりもわずかに幅広で、前記駆動軸を前記ファンケース内から前記ファンケース外に案内可能とする切り欠き通路が設けられるとともに、前記切り欠き通路を閉鎖するカバー部材が着脱可能に取り付けられており、
ファンケースは、その吹き出し口が所定の吹き出し方向を向く位置とハウジングの側面に設けられた作業口側を向く位置とに位置変更可能に設けられるとともに、切り欠き通路の一端が、ファンモーター側の側壁に設けられた吸い込み口に開口し、他端が前記吹き出し口に開口していることを特徴とする空気調和装置用送風機。
【請求項２】
シロッコファンと、空気調和装置のハウジング内に取り付けられて前記シロッコファンを内装するファンケースと、前記ハウジング内に取り付けられて、前記シロッコファンを回転駆動させるためのファンモーターとから構成され、前記ファンケースには、空気の吸い込み口と吹き出し口とが備えられ、前記ファンケースの外部に配置されるファンモーターの駆動軸を前記吸い込み口からファンケース内に挿通して、その挿通端部に前記シロッコファンを組み付けるようにした空気調和装置用送風機において、
前記ファンケースには、前記ファンモーターの駆動軸の外径よりもわずかに幅広で、前記駆動軸を前記ファンケース内から前記ファンケース外に案内可能とする切り欠き通路が設けられるとともに、前記切り欠き通路を閉鎖するカバー部材が着脱可能に取り付けられており、
ファンケースの吸い込み口には、シロッコファンの外径よりも大径としたリング状のベルマウス部が着脱可能に設けられ、切り欠き通路の一端がファンモーター側の側壁に設けられた吸い込み口に開口し、他端がファンケースにおけるハウジングの側面に設けられた作業口側に位置する外周壁の外方に開口していることを特徴とする空気調和装置用送風機。
【発明の詳細な説明】
【技術分野】
【０００１】
本発明は、空気調和装置用の送風機、詳しくは、ファンモーター、シロッコファン、ファンケースから構成される空気調和装置用送風機に係り、送風機の性能を維持しながらも、保守点検などを容易に実施し得るようにしたものである。
【背景技術】
【０００２】
一般に空気調和装置用の送風機は、ファンモーターとシロッコファンとこのシロッコファンを内装するファンケースから構成されており、ファンケースには、空気の吸い込み口と吹き出し口とが備えられ、ファンモーターの駆動軸を前記した吸い込み口からファンケース内に挿通して、その挿通端部にシロッコファンを組み付けている。（特許文献１参照）
また以上の送風機では、ファンケース及びファンモーターは空気調和装置を構成する室内機のハウジング内にそれぞれ個別に固定されている。
【０００３】
ところで以上の送風機は、ファンモーターを空気調和装置における室内機のハウジングから取り外して定期的に保守点検を行なう必要があり、またファンケース内に装填されたシロッコファンも破損などにより交換しなければならない場合がある。
【０００４】
しかしながら前記した従来の送風機にあっては、シロッコファンの外径がファンケースの吸込み口に比べ大きいため、ファンケースに対するシロッコファンの取り付け若しくは取り外しは、ファンケースの吹出し口に限られる。
そのため、送風機のファンモーターやシロッコファンの保守点検乃至交換作業時、ファンモーターやシロッコファン等を空気調和装置のハウジングから取り外す際には、ファンモーター、シロッコファンのみならずファンケースをも一体に取り外す必要がある。
また吸い込み口にリング状のベルマウス部を着脱可能に取り付けた所謂ベルマウス取り外しタイプのファンケースからなる送風機では、ベルマウス部をファンケースから取り外すことで、シロッコファンのみをケーシング外に取り外すことが可能であるが、サービススペースがない場合等は、ハウジングからファンモーターのみを取り外すことは出来ず、ファンモーターを取り外したい場合には、ファンケースも同時に取り外さざるを得ない。
【０００５】
しかも従来の送風機にあっては、ファンケースは、ファンモーター、およびシロッコファンとは一体的に固定されていないため、前記したいずれの場合においてもこれらファンケース及びシロッコファンを取り外す際には、不安定な状態で取り外さなければならず、取り外し作業の安全面において問題がある。
また前記した特許文献1に開示されている分割型ファンケースでは、ファンケースを分割することでファンケースを取り出すことなくファンモーター、およびシロッコファンを取り出すことができるが、分割部の切れ目が多いため、強度面や振動接触による騒音発生に不安がある。
【先行技術文献】
【特許文献】
【０００６】
【特許文献１】実公昭６２−３１７７７号
【発明の概要】
【発明が解決しようとする課題】
【０００７】
本発明は以上の実情に鑑みて開発したものであって、目的とするところは、シロッコファンやファンモーターの保守・交換作業が容易に行なえ、しかもファンケースの強度低下を最小限に抑えることの出来る空気調和装置用送風機を提供することにある。
【課題を解決するための手段】
【０００８】
前記した目的を達成するために、本発明は、シロッコファンと、空気調和装置のハウジング内に取り付けられてシロッコファンを内装するファンケースと、ハウジング内に取り付けられて、シロッコファンを回転駆動させるためのファンモーターとから構成され、ファンケースには、空気の吸い込み口と吹き出し口とが備えられ、ファンケースの外部に配置されるファンモーターの駆動軸を吸い込み口からファンケース内に挿通して、その挿通端部にシロッコファンを組み付けるようにした空気調和装置用送風機において、ファンケースには、ファンモーターの駆動軸の外径よりもわずかに幅広で、駆動軸をファンケース内からファンケース外に案内可能とする切り欠き通路が設けられるとともに、切り欠き通路を閉鎖するカバー部材が着脱可能に取り付けられており、ファンケースは、その吹き出し口が所定の吹き出し方向を向く位置とハウジングの側面に設けられた作業口側を向く位置とに位置変更可能に設けられるとともに、切り欠き通路の一端が、ファンモーター側の側壁に設けられた吸い込み口に開口し、他端が吹き出し口に開口していることを特徴とする。
また、本発明は、シロッコファンと、空気調和装置のハウジング内に取り付けられてシロッコファンを内装するファンケースと、ハウジング内に取り付けられて、シロッコファンを回転駆動させるためのファンモーターとから構成され、ファンケースには、空気の吸い込み口と吹き出し口とが備えられ、ファンケースの外部に配置されるファンモーターの駆動軸を吸い込み口からファンケース内に挿通して、その挿通端部にシロッコファンを組み付けるようにした空気調和装置用送風機において、ファンケースには、ファンモーターの駆動軸の外径よりもわずかに幅広で、駆動軸をファンケース内からファンケース外に案内可能とする切り欠き通路が設けられるとともに、切り欠き通路を閉鎖するカバー部材が着脱可能に取り付けられており、ファンケースの吸い込み口には、シロッコファンの外径よりも大径としたリング状のベルマウス部が着脱可能に設けられ、切り欠き通路の一端がファンモーター側の側壁に設けられた吸い込み口に開口し、他端がファンケースにおけるハウジングの側面に設けられた作業口側に位置する外周壁の外方に開口していることを特徴とする。
【発明の効果】
【０００９】
本発明によれば、ファンケースに形成した切り欠き通路を介してシロッコファンの駆動軸をファンケース内からファンケース外に取り出すことができるので、ファンケースを空気調和装置のハウジングから取り外さなくても、ファンモーターやシロッコファンをハウジングから取り外すことが可能となり、送風機の保守・点検作業乃至ファンモーターなどの交換作業が容易に行なえ、それでいながら、切り欠き通路が駆動軸の外径よりもわずかに幅広で、しかもこの切り欠き通路はカバー部材が着脱可能に取り付けられているので、ファンケースの強度低下を最小限に抑えることが出来る。
【図面の簡単な説明】
【００１０】
【図１】実施の形態１に示す送風機を搭載した空気調和装置の一部を切り欠いて示す説明図である。
【図２】同、要部を拡大して示す説明図である。
【図３】実施の形態１に示す送風機のファンケースとシロッコファンの分解斜視図である。
【図４】実施の形態２に示す送風機を搭載した空気調和装置の要部を拡大して示す説明図である。
【図５】実施の形態２に示す送風機のファンケースとシロッコファンの分解斜視図である。
【発明を実施するための形態】
【００１１】
以下、本発明にかかる空気調和装置用送風機の実施形態を説明する。
実施の形態1．
図1は、この発明の実施の形態１に示す送風機を搭載した空気調和装置の一部を切り欠いて示す説明図、図２は、同、要部を拡大して示す説明図、図３は、実施の形態１に示す送風機のファンケースとシロッコファンの分解斜視図である。
【００１２】
以上の図において、符号１は空気調和装置を構成する室内機を示し、符号２は室内機１のハウジング１０内に組みつけられた送風機を示す。
送風機２は、基本的には、２個のシロッコファン３と、シロッコファン３を回転駆動させるためのファンモーター４と、２個のシロッコファン３をそれぞれ内装するための左右一対のファンケース５とから構成されている。
ファンモーター４は、モーター本体４１とこのモーター本体４１から左右に突出する駆動軸４２とが備えられ、モーター本体４１が左右ハウジング１０の天板１１の下面に組み付けられた台座１２に支持ブラケット１３を介して取り外し可能に組み付けられている。
ファンケース５は所定間隔開けて対向する左右対向壁５１と、これら対向壁５１間の周囲を囲む周壁５２とから構成され、左右対向壁５１には、空気の吸い込み口５３が形成され、左右対向壁５１間には、これら左右対向壁５１と前記した周壁５２とで囲まれる吹き出し口５４が形成されている。
吸い込み口５３は円形に形成され、その内径はシロッコファン３の外径よりも一回り小さくなっている。
吹き出し口５４は長方形に形成され、シロッコファン３を取り出し可能な大きさに開口している。
【００１３】
以上のファンケース５は、天板１１に対してボルトなどの固定手段により着脱可能に固定することで、吹き出し口５４を天板１１に設けた吹き出し孔に連通させるようにしている。
また以上のファンケース５は、吹き出し口５４が所定の吹き出し方向を向く位置、即ち、吹き出し口５４が天板１１に設けた吹き出し孔に連通する位置とハウジング１０の前面に設けられた作業口１４側を向く位置とに位置変更可能に設けられている。
具体的には、細長い支持板１５が天板１１の下面から下方に延び、この支持板１５の下部に形成した上下方向に延びる長孔１６には、ファンケース５の左右対向壁５１から突出する支持軸５５が挿通されて、長孔１６を介してファンケース５が上下方向に移動可能とされ、且つ長孔１６を介して所定ストローク下方に移動した位置において、ファンケース５は、その吹き出し口５４がハウジング１０の前面側に設けられた作業口１４側を向くに位置まで支持軸５５を支点にしてほぼ９０度回転可能としている。
【００１４】
そして以上のファンケース５には、ファンモーター４の駆動軸４２の外径よりもわずかに幅広で、駆動軸４２をファンケース５内からファンケース５外に案内するための切り欠き通路６が設けられるとともに、この切り欠き通路６を閉鎖するカバー部材７が着脱可能に取り付けられている。
この切り欠き通路６は、図３にも示すように、その一端がファンモーター４側に位置する対向壁５１に設けられた吸い込み口５３に開口し、他端は吹き出し口５４に開口している。
またファンモーター４の左右の駆動軸４２は、対向壁５１の吸い込み口５３からファンケース５内に挿通され、その挿通端部にシロッコファン３をそれぞれ組み付けるようにしている。
【００１５】
次に、送風機２の保守点検作業時におけるファンモーター４及びシロッコファン３の取り外しについて説明する。
先ず切り欠き通路６を閉鎖しているカバー部材７を取り外すとともに、天板１１に対するファンケース５の固定を解除して、ファンケース５を所定ストローク下方に移動させる。
続いて、吹き出し口５４がハウジング１０の前面側に設けられた作業口１４側を向くに位置までファンケース５を支持軸５５を支点にして回転させるのであって、吹き出し口５４が作業口１４側を向く位置では、支持軸５５と支持板１５との間に設けられたロック手段（図示せず）の作用によりファンケース５は保持される。
そしてハウジング１０に対するモーター本体４１の固定を解除した上で、駆動軸４２を切り欠き通路６を通過させながら、ファンモーター４を作業口方向に移動させることで、従来のように、ファンケース５をハウジング１０から取りはずさなくでも、シロッコファン３を駆動軸４２とともに吹き出し口５４を介してファンケース５の外に取り出すことが出来る。
【００１６】
ところで、切り欠き通路６の幅はファンモーター４の駆動軸４２が通る程度であり、しかもこの切り欠き通路６は通常カバー部材７によりふさがれている為、ファンケース５の強度低下は最小限に抑えられるし、また、騒音についてもカバー部材７に騒音防止用の断熱材等を備えることで、騒音についても最小限に抑えることができる。
以上のように、ファンケース５をハウジング１０から取り外すことなく、シロッコファン３およびファンモーター４を取り出すことができるようにしているので、容易、かつ安全に送風機の保守・交換を実施することが可能であると共に、ファンケース５の強度、騒音についても改善を図ることができる。
【００１７】
実施の形態２．
次に、所謂ベルマウス取り外しタイプのファンケース５０を用いた送風機２０に本発明を適用した例を説明する。
まず図４は、実施の形態２に示す送風機を搭載した空気調和装置の要部を拡大して示す説明図、図５は、実施の形態２に示す送風機のファンケースとシロッコファンの分解斜視図である。
このベルマウス取り外しタイプのファンケース５０は、対向壁５１に設けられる吸い込み口５３に、その外径がシロッコファン３の外径よりも大径としたリング状のベルマウス部５５が着脱可能に設けられ、ベルマウス部５５の取り外しにより、シロッコファン３を吸い込み口５３からファンケース５０外に取り出し可能となっている。
【００１８】
以上のファンケース５０は、天板１１側に固定したままでよく、前記した実施の形態１のように、吹き出し口５４が作業口１４側を向くに位置まで回転させる構造は必要ではない。
またファンケース５０には、ファンモーター４の駆動軸４２の外径よりもわずかに幅広で、駆動軸４２をファンケース５０内からファンケース５外に案内するための切り欠き通路６０が設けられるとともに、この切り欠き通路６０を閉鎖するカバー部材７０が着脱可能に取り付けられている。
この切り欠き通路６０は、図５にも示すように、その一端が駆動軸４２挿入側の対向壁５１に設けられた吸い込み口５３に開口し、他端はファンケース５０における作業口側に位置する外周壁５２の外方に駆動軸４２の長さ分だけ開口している。
【００１９】
次に、以上の送風機２の保守点検作業時におけるファンモーター４及びシロッコファン３の取り外しについて説明する。
この送風機２では、実施の形態1の場合と異なり、カバー部材７０及びベルマウス部５５をファンケース５０から取り外して、シロッコファン３を吸い込み口５３からファンケース５０外に取り出す。
続いてハウジング１０に対するモーター本体４１の固定を解除した上で、駆動軸４２を切り欠き通路６を通過させながら、ファンモーター４を作業口方向に移動させることで、駆動軸４２とともにモーター本体４１をハウジング１０外に取り出すことが出来る。
この実施の形態２では、ファンモーター４の取り外しに際して前記した実施の形態１のようにファンケース５０を回転させる必要がない。
【００２０】
ところで、以上の実施の形態２に示す送風機１においても、切り欠き通路６０の幅はファンモーター４の駆動軸４２が通る程度であり、しかもこの切り欠き通路６０は通常カバー部材７０によりふさがれている為、ファンケース５０の強度低下は最小限に抑えられるし、また、騒音についてもカバー部材７０に騒音防止用の断熱材等を備えることで、騒音についても最小限に抑えることができる。
以上のように、実施の形態２に示す送風機２０でも、ファンケース５０をハウジング１０から取り外すことなくシロッコファン３およびファンモーター４を取り出すことができるようにしているので、容易、かつ安全に送風機の保守・交換を実施することが可能であると共に、ファンケースの強度、騒音についても改善を図ることができる。
【００２１】
尚、前記した各実施形態では、1台のファンモーター４に2個のシロッコファン３とファンケース４を設けたが、1台のファンモーター４に1個のシロッコファン３とファンケース５を設けたものでもよい。
またファンモーター４、シロッコファン３およびファンケース４を天板１１等に配置したが、ハウジング１０内の底部側に配置してもよい。
【符号の説明】
【００２２】
１  室内機
１０  ハウジング
１１  天板
２・２０  送風機
３  シロッコファン
４  ファンモーター
４１  モーター本体
４２  駆動軸
５  ファンケース
５１  対向壁
５２  周壁
５３  吸い込み口
５４  吹き出し口
５５  ベルマウス部
６・６０  切り欠き通路
７・７０  カバー部材
【図１】
0005614997.tif 000002
【図２】
0005614997.tif 000003
【図３】
0005614997.tif 000004
【図４】
0005614997.tif 000005
【図５】
0005614997.tif 000006